(57)【要約】【課題】ＲＦＩＤタグ上に水が溜まることを防止できるＲＦＩＤタグの取り付け方法を提供する。【解決手段】本発明では，ＲＦＩＤタグ１の表面から水滴がすべり落ちるように，最頂部から端部にかけて傾斜している傾斜面で構成されている表面を有するＲＦＩＤタグ１（ここでは，表面が山型）を物品の水平面に取り付けることで，ＲＦＩＤタグ１の表面を水平面に対して傾斜させた状態で物品に取り付ける。なお，ＲＦＩＤタグ１の表面を撥水性加工すると，ＲＦＩＤタグ１の表面から水滴がすべり落ちる効果を高めることができる。【選択図】図１
2011100236.tif 000002
【特許請求の範囲】
【請求項１】
ＲＦＩＤタグを物品に取り付ける方法であって，ＲＦＩＤタグの表面を水平面に対して傾斜させた状態で物品に取り付けたことを特徴とするＲＦＩＤタグの取り付け方法。
【請求項２】
ＲＦＩＤタグの表面を撥水性加工していることを特徴とする請求項１に記載のＲＦＩＤタグの取り付け方法。
【請求項３】
ＲＦＩＤタグの表面を水平面に対して傾斜させるために，最頂部から端部にかけて傾斜している傾斜面で構成されている表面を有するＲＦＩＤタグを，物品の水平面に取り付けたことを特徴とする請求項１又は請求項２に記載のＲＦＩＤタグの取り付け方法。
【請求項４】
ＲＦＩＤタグの表面を水平面に対して傾斜させるために，表面が平面のＲＦＩＤタグを，物品の傾斜面に取り付けたことを特徴とする請求項１又は請求項２に記載のＲＦＩＤタグの取り付け方法。
【請求項５】
最頂部から端部にかけて傾斜している傾斜面で構成されている表面を有するＲＦＩＤタグ。
【発明の詳細な説明】
【技術分野】
【０００１】
本発明は，非接触通信可能なＲＦＩＤタグを利用する技術分野に属する。
【背景技術】
【０００２】
非接触データ通信可能なＲＦＩＤタグを利用したＲＦＩＤタグシステムが物流分野で活用されて始めている。物流分野でＲＦＩＤタグシステムを活用する場合，商品又は商品を梱包したコンテナ（例えば，段ボール箱）などの物品にＲＦＩＤタグを貼り，リーダライタユニットを用いＲＦＩＤタグからデータを読み取ることで，入荷時，出荷時，在庫の数量などを管理する。
【０００３】
物流分野でＲＦＩＤタグシステムを活用する場合，ＲＦＩＤタグが貼られた物品が置かれる場所は，倉庫などの屋内に限らず，物品の運搬時などは，ＲＦＩＤタグが貼られた物品が置かれる場所は屋外になってしまう。
【０００４】
ＲＦＩＤタグが貼られた物品が置かれる場所に屋外が含まれると，雨によって，ＲＦＩＤタグが水で濡れて，ＲＦＩＤタグに実装されているＩＣチップが故障する可能性があるため，ＲＦＩＤタグが貼られた物品が置かれる場所に屋外が含まれる場合には，特許文献１で開示されているように，ＲＦＩＤタグに耐水性を持たせることが必要になる。
【０００５】
また，ＲＦＩＤタグを利用する場所が屋外であると，ＲＦＩＤタグ上に水が溜まると電波が吸収され，ＲＦＩＤタグの読み取り率が低下してしまうため，ＲＦＩＤタグが貼られた物品が置かれる場所に屋外が含まれる場合には，ＲＦＩＤタグ上に水が溜まることを防止することが必要となる。
【先行技術文献】
【特許文献】
【０００６】
【特許文献１】特開２００５−３７８９５号公報
【発明の概要】
【発明が解決しようとする課題】
【０００７】
そこで，本発明は，ＲＦＩＤタグ上に水が溜まることを防止できるＲＦＩＤタグの取り付け方法を提供することを目的とする。
【課題を解決するための手段】
【０００８】
上述した課題を解決する第１の発明は，ＲＦＩＤタグを物品に取り付ける方法であって，ＲＦＩＤタグの表面を水平面に対して傾斜させた状態で物品に取り付けたことを特徴とするＲＦＩＤタグの取り付け方法である。
【０００９】
更に，第２の発明は ＲＦＩＤタグの表面を撥水性加工していることを特徴とする第１の発明に記載のＲＦＩＤタグの取り付け方法である。
【００１０】
更に，第３の発明は，ＲＦＩＤタグの表面を水平面に対して傾斜させるために，最頂部から端部にかけて傾斜している傾斜面で構成されている表面を有するＲＦＩＤタグを，物品の水平面に取り付けたことを特徴とする第１の発明又は第２の発明に記載のＲＦＩＤタグの取り付け方法である。
【００１１】
更に，第４の発明は，ＲＦＩＤタグの表面を水平面に対して傾斜させるために，表面が平面のＲＦＩＤタグを，物品の傾斜面に取り付けたことを特徴とする第１の発明又は第２の発明に記載のＲＦＩＤタグの取り付け方法である。
【００１２】
更に，第５の発明は，最頂部から端部にかけて傾斜している傾斜面で構成されている表面を有するＲＦＩＤタグである。
【００１３】
第１の発明によれば，ＲＦＩＤタグの表面が傾斜した状態で物品に取り付けることで，ＲＦＩＤタグの表面に付いた水滴は，ＲＦＩＤタグの表面からすべり落ちるため，ＲＦＩＤタグの表面に水が溜まることを防止できる。また，第２の発明のように，ＲＦＩＤタグの表面を撥水加工しておくことで，ＲＦＩＤタグの表面から水滴がすべり落ちる効果を高めることができる。
【００１４】
ＲＦＩＤタグの表面が水平面に対して傾斜した状態で取り付ける具体的な手法としては，第３の発明のように，最頂部から端部にかけて傾斜している傾斜面で構成されている表面を有するＲＦＩＤタグを物品の水平面に取り付ける手法，又は，第４の発明のように，平面の表面を有するＲＦＩＤタグを物品の傾斜面に取り付ける手法のいずれかで実現できる。
【００１５】
なお，第５の発明は，第３の発明で必要となるＲＦＩＤタグである。
【発明の効果】
【００１６】
このように，本願発明によれば，ＲＦＩＤタグ上に水が溜まることを防止できるＲＦＩＤタグの取り付け方法を提供できる。
【図面の簡単な説明】
【００１７】
【図１】実施例１で用いたＲＦＩＤタグの形状を説明する図。
【図２】実施例１におけるＲＦＩＤタグの取り付け方法を説明する図。
【図３】実施例１で用いることのできる他形状のＲＦＩＤタグを説明する図。
【図４】実施例２で用いたＲＦＩＤタグの形状を説明する図。
【図５】実施例２におけるＲＦＩＤタグの取り付け方法を説明する図。
【発明を実施するための形態】
【００１８】
ここから，本願発明の実施形態について，本願発明の技術分野に係わる当業者が，本願発明の内容を理解し，本願発明を実施できる程度に説明する。
【００１９】
本願発明に係わるＲＦＩＤタグの取り付け方法は，ＲＦＩＤタグ上に水が溜まることを防止する発明で，本願発明に係わるＲＦＩＤタグの取り付け方法では，ＲＦＩＤタグは，ＲＦＩＤタグの表面を水平面に対して傾斜させた状態で物品に取り付けられる。
【００２０】
ＲＦＩＤタグの表面を水平面に対して傾斜させた状態で物品にＲＦＩＤタグを取り付けることで，ＲＦＩＤタグの表面に付いた水滴は，ＲＦＩＤタグの表面からすべり落ちるため，ＲＦＩＤタグの表面に水が溜まることを防止できる。
【００２１】
なお，ＲＦＩＤタグの表面を撥水性コーティングしておくと，ＲＦＩＤタグの表面から水滴がすべり落ちる効果を高めることができる。このように，ＲＦＩＤタグの表面の状態によって，ＲＦＩＤタグの表面から水滴が落ちる傾斜角は異なるため，ＲＦＩＤタグの表面の傾斜角は予め実験によって決定しておくとよい。
【００２２】
本願発明では，ＲＦＩＤタグの表面を水平面に対して傾斜させた状態で物品にＲＦＩＤタグを取り付ける具体的な手法としては，最頂部から端部にかけて傾斜している傾斜面で構成されている表面を有するＲＦＩＤタグを物品の水平面に取り付ける手法，或いは，水平な表面を有するＲＦＩＤタグを物品の傾斜面に取り付ける手法のいずれかを用いることができ，以下，それぞれの実施例について説明する。
【実施例１】
【００２３】
実施例１は，最頂部から端部にかけて傾斜している傾斜面で構成されている表面を有するＲＦＩＤタグを物品の水平面に取り付ける形態である。図１は，実施例１で用いたＲＦＩＤタグ１の形状を説明する図で，図１で図示したＲＦＩＤタグ１の内部には，アンテナ１１が接続されたＩＣチップ１０が内蔵され，ＲＦＩＤタグ１の表面形状を山型にすることで，ＲＦＩＤタグ１の表面が最頂部から端部にかけて傾斜している傾斜面で構成されるようにしている。なお，ＲＦＩＤタグ１の裏面形状は平面である。
【００２４】
実施例１で用いたＲＦＩＤタグ１の表面に撥水性を持たせることで，ＲＦＩＤタグの表面から水滴がすべり落ちる効果を高めることができる。ＲＦＩＤタグ１の表面に撥水性を持たせる手法は任意でよく，特開平１０−３１６８２０号公報に記載されているような超撥水性表面を有する部材を表面に用いてＲＦＩＤタグ１を製造してもよく，又は，市販の撥水性コーティング材をＲＦＩＤタグ１の表面に塗布してもよい。
【００２５】
図２は，実施例１におけるＲＦＩＤタグ１の取り付け方法を説明する図である。図２では，ＲＦＩＤタグ１を取り付ける物品２（例えば，折り畳み可能なコンテナ）の右隅に，ＲＦＩＤタグ１の取り付け面２１が平面の取り付け部２０が設けられており，この取り付け部２０の取り付け面２１と図１で図示したＲＦＩＤタグ１の裏面を合わせるように取り付けると，ＲＦＩＤタグ１の表面は山型になっているため，ＲＦＩＤタグ１の表面を水平面に対して傾斜させた状態で，ＲＦＩＤタグ１を物品２０に取り付けることができる。
【００２６】
なお，実施例１で用いることのできるＲＦＩＤタグは，ＲＦＩＤタグの表面から水滴がすべり落ちる形状になっていれば，ＲＦＩＤタグの表面の形状は図１に限定されない。
【００２７】
図３は，実施例１で用いることのできる他形状のＲＦＩＤタグを説明する図で，実施例１で用いることのできるＲＦＩＤタグの表面の形状は，最頂部から端部にかけて傾斜している傾斜面で構成され，ＲＦＩＤタグの表面から水滴がすべり落ちる形状になっていればよく，図３（ａ）で図示したＲＦＩＤタグ３のように，ＲＦＩＤタグの表面をくさび形状にすることもできるし，図３（ｂ）で図示したＲＦＩＤタグ４のように，ＲＦＩＤタグの表面の形状を三角錐にすることもできるし，また，図３（ｃ）で図示したＲＦＩＤタグ５のように，ＲＦＩＤタグの表面の形状をドーム型にすることもできる。
【実施例２】
【００２８】
実施例２は，水平な表面を有するＲＦＩＤタグを物品の傾斜面に取り付けた形態である。図４は，実施例２で用いたＲＦＩＤタグ６の形状を説明する図で，図４で図示したＲＦＩＤタグ６の内部には，アンテナ６１が接続されたＩＣチップ６０が内蔵され，ＲＦＩＤタグ６の表面及び裏面の形状は平面である。なお，実施例１と同様に，実施例２で用いたＲＦＩＤタグ６の表面に撥水性を持たせることで，ＲＦＩＤタグの表面から水滴がすべり落ちる効果を高めることができる。
【００２９】
図５は，実施例２におけるＲＦＩＤタグ６の取り付け方法を説明する図である。図５では，ＲＦＩＤタグ６を取り付ける物品７（例えば，折り畳み可能なコンテナ）の右隅に，ＲＦＩＤタグ６の取り付け面７１が傾斜面の取り付け部７０が設けられており，この取り付け部７０の取り付け面７１と図４で図示したＲＦＩＤタグ６の裏面を合わせるように取り付けることで，ＲＦＩＤタグ６の表面を水平面に対して傾斜させた状態で，ＲＦＩＤタグ６を物品７に取り付けることができる。
【符号の説明】
【００３０】
１，３，４，５，６  ＲＦＩＤタグ
２，７  ＲＦＩＤタグを取り付ける物品
【図１】
2011100236.tif 000003
【図２】
2011100236.tif 000004
【図３】
2011100236.tif 000005
【図４】
2011100236.tif 000006
【図５】
2011100236.tif 000007